(57)【特許請求の範囲】
【請求項１】
伝送路を伝送する波長分割多重光信号の一部を分岐して取り出す分岐部と、
レーザ光を射出する光源と、
分岐された前記波長分割多重光信号を前記レーザ光と干渉させて、前記レーザ光の波長に対応する監視対象の光信号を受信する受信部と、
前記監視対象の光信号の品質を示す符号誤り率が所定値より小さいと確認できる所定時間に受信された前記監視対象の光信号に含まれるデータの誤りを検出し、前記所定時間に検出した前記データの誤り数を用い前記監視対象の光信号の前記符号誤り率を測定する品質測定部と、
前記光源の前記レーザ光の波長を制御し、前記波長分割多重光信号に波長多重された光信号それぞれの前記符号誤り率を前記品質測定部に測定させる制御部と、
を備えることを特徴とする品質監視装置。
【請求項２】
請求項１に記載の品質監視装置において、
前記制御部は、外部装置から前記監視対象の光信号のチャンネル情報を受信し、前記チャンネル情報に基づいて前記光源のレーザ光の波長を制御することを特徴とする品質監視装置。
【請求項３】
請求項１または請求項２に記載の品質監視装置において、
前記品質測定部は、前記所定時間に検出した前記データの誤りがない場合、前記監視対象の光信号における前記符号誤り率を所定値未満として測定することを特徴とする品質監視装置。
【請求項４】
請求項３に記載の品質監視装置において、
前記制御部は、前記監視対象の光信号の前記符号誤り率が前記所定値より小さい場合、次の監視対象の光信号の前記符号誤り率を測定するために前記光源のレーザ光の波長を制御することを特徴とする品質監視装置。
【請求項５】
請求項１ないし請求項４のいずれか１項に記載の品質監視装置において、
複数の前記光源を備え、
前記制御部は、一の前記光源の前記レーザ光を一の波長に制御して前記受信部に射出させるとともに、他の前記光源の前記レーザ光を他の波長に制御し、前記一の波長に対応する前記監視対象の光信号の品質の測定後、前記一の光源から前記他の光源に切り替えて前記他の光源に前記他の波長のレーザ光を前記受信部に射出させる
ことを特徴とする品質監視装置。
【請求項６】
請求項１ないし請求項５のいずれか１項に記載の品質監視装置において、
前記品質測定部は、前記符号誤り率と光信号対雑音比との関係を示す特性情報を用い、測定した前記符号誤り率から前記監視対象の光信号の光信号対雑音比を、前記監視対象の光信号の品質として算出することを特徴とする品質監視装置。
【請求項７】
伝送路を伝送する波長分割多重光信号の一部を分岐して取り出す分岐部と、
レーザ光を射出する光源と、
分岐された前記波長分割多重光信号を前記レーザ光と干渉させて、前記レーザ光の波長に対応する監視対象の光信号を受信する受信部と、
前記監視対象の光信号の品質を示す符号誤り率が所定値より小さいと確認できる所定時間に受信された前記監視対象の光信号に含まれるデータの誤りを検出し、前記所定時間に検出した前記データの誤り数を用い前記監視対象の光信号の前記符号誤り率を測定する品質測定部と、
前記光源の前記レーザ光の波長を制御し、前記波長分割多重光信号に波長多重された光信号それぞれの前記符号誤り率を前記品質測定部に測定させる制御部とを含む品質監視装置を備える
ことを特徴とする伝送装置。
【発明の詳細な説明】
【技術分野】
【０００１】
本発明は、伝送路を伝送する波長分割多重光信号の品質を監視する品質監視装置および伝送装置に関する。
【背景技術】
【０００２】
近年、波長分割多重（Wavelength Division Multiplexing）方式による伝送システムの大規模化および波長多重される波長数の増大に伴い、伝送システムの信頼性を保つために、伝送路を伝送するＷＤＭ光信号の品質管理の重要性が高まっている。
【０００３】
例えば、伝送システムの中継部分を構成する光中継器において、ＷＤＭ光信号中から少なくとも１波以上の単一の波長の光信号を分波して取り出し、直接符号誤り率を監視することにより、伝送システムの障害監視を行う技術がある（特許文献１など参照）。
【先行技術文献】
【特許文献】
【０００４】
【特許文献１】特開２００３−６９５０３号公報
【発明の概要】
【発明が解決しようとする課題】
【０００５】
ところで、従来技術では、ＷＤＭ光信号中から少なくとも１波以上の単一の波長の光信号を取り出すために、ファイバブラッググレーティングや光フィルタなどを用いる。しかしながら、隣接するチャンネルの光信号成分が混入しないように、監視対象のチャンネルの光信号成分のみを取り出すためには、例えば、急峻な遮断特性を有する光フィルタを用いる必要があるが、コストがかかるという問題がある。
【０００６】
上記従来技術が有する問題に鑑み、本発明の目的は、伝送路を伝送するＷＤＭ光信号のうち所望の波長の光信号成分を容易に且つ確度高く取り出して品質を監視することができる技術を提供することにある。
【課題を解決するための手段】
【０００７】
上記課題を解決するために、本発明を例示する品質監視装置の一態様は、伝送路上に配置され伝送路を伝送する波長分割多重光信号の品質を監視する品質監視装置であって、伝送路を伝送する波長分割多重光信号の一部を分岐して取り出す分岐部と、レーザ光を射出する光源と、分岐された波長分割多重光信号をレーザ光と干渉させて、レーザ光の波長に対応する監視対象の光信号を受信する受信部と、受信された監視対象の光信号の品質を測定する品質測定部と、光源のレーザ光の波長を制御し、品質測定部に波長分割多重光信号に波長多重された光信号それぞれの品質を測定させる制御部と、を備える。
【０００８】
また、制御部は、外部装置から監視対象の光信号のチャンネル情報を受信し、チャンネル情報に基づいて光源のレーザ光の波長を制御してもよい。
【０００９】
また、品質測定部は、監視対象の光信号の品質として、符号誤り率を測定してもよい。
【００１０】
また、品質測定部は、所定時間に受信された監視対象の光信号におけるデータの誤り数に基づいて、符号誤り率を測定してもよい。
【００１１】
また、制御部は、監視対象の光信号の符号誤り率が所定値より小さいことを確認した場合、次の監視対象の光信号の品質を測定するために光源のレーザ光の波長を制御してもよい。
【００１２】
また、複数の光源を備え、制御部は、一の光源のレーザ光を一の波長に制御して受信部に射出させるとともに、他の光源のレーザ光を他の波長に制御し、一の波長に対応する監視対象の光信号の品質の測定後、一の光源から他の光源に切り替えて他の光源に他の波長のレーザ光を受信部に射出させてもよい。
【００１３】
また、品質測定部は、符号誤り率に基づいて、監視対象の光信号の光信号対雑音比を算出してもよい。
【００１４】
本発明を例示する伝送装置の一態様は、本発明の品質監視装置を備える。
【発明の効果】
【００１５】
本発明によれば、伝送路を伝送するＷＤＭ光信号のうち所望の波長の光信号を容易に且つ確度高く取り出して品質を監視することができる。
【図面の簡単な説明】
【００１６】
【図１】本発明の一の実施形態に係る伝送システムの構成を示すブロック図
【図２】一の実施形態の伝送装置の構成を示すブロック図
【図３】一の実施形態の受信部およびＢＥＲ測定部の構成を示すブロック図
【図４】一の実施形態の伝送システムの通常の場合における品質監視動作を示すフローチャート
【図５】一の実施形態の伝送システムの管理制御装置からの指示に基づく場合の品質監視動作を示すフローチャート
【図６】本発明の一の実施形態の変形例に係る伝送装置および受信部の構成を示すブロック図
【図７】受信部における符号誤り率と光信号対雑音比との関係の特性情報の一例を示す図
【図８】本発明の他の実施形態に係る伝送装置の構成を示すブロック図
【発明を実施するための形態】
【００１７】
《一の実施形態》
図１は、本発明の一の実施形態に係る伝送システムＳＹＳの構成を示すブロック図である。なお、図１は、波長分割多重装置１０から波長分割多重装置２０へＷＤＭ光信号を送信する場合を示す。
【００１８】
本実施形態の伝送システムＳＹＳは、対向して配置される波長分割多重装置１０、２０、それらの波長分割多重装置間でＷＤＭ光信号を伝送する光ファイバ３０−１〜３０−（Ｎ＋１）、そのＷＤＭ光信号を中継する伝送装置４０−１〜４０−Ｎ、および管理制御装置７０から構成される（Ｎは自然数）。
【００１９】
波長分割多重装置１０は、不図示のクライアント装置からＳＯＮＥＴなどのクライアント信号をトランスポンダ５０−１〜５０−Ｍで受信する。トランスポンダ５０−１〜５０−Ｍそれぞれは、受信したクライアント信号を波長多重に適した狭帯域の光信号に変換しＷＤＭ部１１に出力する。ＷＤＭ部１１は、各チャンネルでトランスポンダ５０−１〜５０−Ｍからの光信号を受信して波長多重する。波長分割多重装置１０は、波長多重されたＷＤＭ光信号を、送信アンプ１２で増幅した後、光ファイバ３０−１に出力する（Ｍは自然数）。一方、波長分割多重装置２０は、波長分割多重装置１０から出力され光ファイバ３０を伝送してきたＷＤＭ光信号を受信して受信アンプ２２で増幅し、ＷＤＭ部２１で波長分離し各チャンネルに接続されたトランスポンダ６０−１〜６０−Ｍそれぞれに光信号を出力する。トランスポンダ６０−１〜６０−Ｍは、光信号をクライアント信号に変換して、それぞれに接続された不図示のクライアント装置に送信する。
【００２０】
図２は、本実施形態の伝送装置４０−ｋの構成を示すブロック図である（ｋ＝１〜Ｎの自然数）。本実施形態の伝送装置４０−ｋは、分岐部４１、受信部４２、ＢＥＲ測定部４３、制御部４４、局発光源４５およびＯＡＤＭ（Optical Add/Drop Multiplexing）装置４６から構成される。そして、分岐部４１、受信部４２、ＢＥＲ測定部４３、制御部４４および局発光源４５は、光ファイバ３０を伝送するＷＤＭ光信号の品質監視装置として動作する。
【００２１】
分岐部４１は、光ファイバ３０−ｋからＷＤＭ光信号の一部(例えば５％)を分岐して取り出し受信部４２に出力するとともに、残りのＷＤＭ光信号をＯＡＤＭ装置４６に出力する。分岐部４１には、光カプラなどを使用することができる。
【００２２】
受信部４２は、分岐部４１により分岐されたＷＤＭ光信号のうち品質を監視したいチャンネルの光信号（監視対象の光信号）を受信する。そのために、受信部４２は、図３（ａ）に示すように、受信波長選択部８０、Ｏ／Ｅ変換部８１、Ａ／Ｄ変換部８２およびデジタル信号処理部８３から構成される。つまり、受信波長選択部８０は、分岐部４１により分岐され受信したＷＤＭ光信号を局発光源４５からのレーザ光と干渉させ、干渉光を受信信号として出力する。ここで、干渉光は、ＷＤＭ光信号のうちレーザ光の波長と同一波長を有する監視対象の光信号に対応するものである。Ｏ／Ｅ変換部８１は、受信波長選択部８０より出力される干渉光をアナログの電気信号に光−電気変換し、Ａ／Ｄ変換部８２は、アナログの電気信号をデジタル信号の受信信号に変換する。デジタル信号処理部８３は、デジタルの受信信号を局発光源４５のレーザ光と位相同期や波形歪の補償などを行い、ＯＴＮフレームなどのデータに復調する。なお、Ｏ／Ｅ変換部８１、Ａ／Ｄ変換部８２およびデジタル信号処理部８３には、一般的なホトダイオード、Ａ／Ｄ変換器およびＤＳＰ（Digital Signal Processor）を適宜選択して用いることができる。
【００２３】
ＢＥＲ測定部４３は、受信部４２により復調されたデータに基づいて、監視対象の光信号の符号誤り率（Bit Error Rate）を測定する。そのために、ＢＥＲ測定部４３は、図３（ｂ）に示すように、ＦＥＣデコーダ部９０、ＢＩＰ演算部９１、エラーカウント部９２およびＢＥＲ演算部９３から構成される。つまり、ＦＥＣデコーダ部９０は、例えば、復調されたＯＴＮフレームを前方誤り訂正（Forward Error Correction）し、エラーカウント部９２はエラー訂正した数を数える。同時に、ＢＩＰ演算部９１は、例えば、ＯＴＮフレームにマッピングされたＳＯＮＥＴフレームのパリティチェックを、ＢＩＰ（Bit Interleaved Parity）方式で符号誤り検出し、エラーカウント部９２は検出されたＢＩＰエラー数を数える。エラーカウント部９２は、エラー訂正の数またはＢＩＰエラー数をＢＥＲ演算部９３に順次通知する、ＢＥＲ演算部９３は、復調されたデータのビット数および通知されたエラー数に基づいて、監視対象の光信号の符号誤り率を求める。
【００２４】
制御部４４は、不図示のメモリに記憶された制御プログラムを実行することにより伝送装置４０−ｋの各部を統括的に制御するプロセッサである。制御部４４は、局発光源４５が射出するレーザ光の波長を制御し、ＷＤＭ光信号の各チャンネルの光信号の品質を監視するとともに、ＢＥＲ測定部４３による測定結果を管理制御装置７０に通知する。
【００２５】
局発光源４５は、制御部４４の制御指示に基づいて射出する波長可変のレーザ光源である。局発光源４５には、分布帰還型（ＤＦＢ）レーザなどを使用することができる。
【００２６】
ＯＡＤＭ装置４６は、制御部４４の制御に基づいて、自装置に接続された不図示のクライアント装置が送受信するデータを、ＷＤＭ光信号から取り出したりＷＤＭ信号に付加したりする。
【００２７】
管理制御装置７０は、外部装置として、伝送システムＳＹＳの動作を制御監視するコンピュータであり、波長分割多重装置１０、２０および伝送装置４０−１〜４０−Ｎと通信可能に接続される。なお、図１では、管理制御装置７０は、波長分割多重装置１０、２０および伝送装置４０−１〜４０−Ｎと直接接続されているがこれに限定されず、例えば、ネットワーク経由で接続されてもよい。ただし、ネットワーク経由の場合、複数の管理制御装置７０が伝送システムＳＹＳを制御監視してもよい。
【００２８】
次に、本実施形態の伝送システムＳＹＳの品質監視動作について、（Ａ）通常の場合、（Ｂ）管理制御装置７０からの指示に基づく場合それぞれについて説明する。
（Ａ）通常の場合
通常の場合における伝送システムＳＹＳの品質監視動作について、図４に示すフローチャートを参照しつつ説明する。
【００２９】
ステップＳ１０１：伝送装置４０−ｋの制御部４４は、光ファイバ３０−ｋから受信したＷＤＭ光信号の品質を監視するために、分岐部４１により分岐されたＷＤＭ光信号を受信部４２に入力させる。制御部４４は、ＷＤＭ光信号のうち最初のチャンネルの光信号を監視対象とし、局発光源４５に対してその光信号が受信部４２で受信されるようにレーザ光の波長を設定する。
【００３０】
ステップＳ１０２：制御部４４は、ステップＳ１０１において局発光源４５に設定した波長のレーザ光を射出させ、予め設定された所定時間Ｔの間、受信部４２に監視対象の光信号を受信させデータに復調させる。ＢＥＲ測定部４３は、その所定時間Ｔに受信部４２が受信し復調したデータの誤り数に基づいて符号誤り率を測定する。ＢＥＲ測定部４３は、測定した符号誤り率を制御部４４に通知する。制御部４４は、通知された符号誤り率を、監視対象の光信号のチャンネルと対応付けてメモリ（不図示）に記録する。
【００３１】
ここで、１つの監視対象の光信号に対する符号誤り率を十分な精度で測定するには、例えば、符号誤り率が１Ｅ−１４などとエラー頻度が非常に小さい場合、数時間という長時間行う必要がある。しかしながら、それでは、全ての光信号の符号誤り率を測定し終えるのに時間がかかり効率が悪い。そこで、伝送システムＳＹＳが十分な信号品質を有すると言える所定値αより小さな符号誤り率については所定時間Ｔとなった時点で測定を終了し、次の光信号の符号誤り率の測定に移行する。例えば、９５％の信頼水準で符号誤り率が所定値αより小さいと確認できる所定時間Ｔは、１０ＧｂｐｓのＳＯＮＥＴネットワークで所定値α＝１Ｅ−１２の場合、５分程度である。本実施形態では、所定値αを１Ｅ−１２および所定時間Ｔを５分と設定し、所定時間Ｔに受信されたデータの符号誤りが不検出の場合、その符号誤り率は「１Ｅ−１２未満」として制御部４４に通知する。これにより、全てのチャンネルの符号誤り率の測定時間を短縮することができる。
【００３２】
なお、所定値αおよび所定時間Ｔは、要求される測定精度や伝送システムＳＹＳの品質状態や構成などに応じて適宜設定されることが好ましい。また、信号品質がよくエラーが少ない場合には、所定値αの品質基準を満たしていることを確認した時点で、そのチャンネルの測定を終了してもよいし、予め測定時間である所定時間Ｔに上限を設けてもよい。
【００３３】
ステップＳ１０３：制御部４４は、ＷＤＭ光信号の全てのチャンネルの光信号について符号誤り率を測定したか否かを判定する。制御部４４は、全てのチャンネルの光信号について測定した場合（ＹＥＳ側）、一連の品質監視処理を終了する。制御部４４は、図４に示す処理を所定の時間間隔で繰り返し行い、例えば、信号品質に問題があるチャンネルが見つかった場合、即座に管理制御装置７０へ通知することが好ましい。一方、制御部４４は、まだ測定していないチャンネルの光信号がある場合、ステップＳ１０１（ＮＯ側）へ移行し、ステップＳ１０１およびステップＳ１０２の処理を行う。
（Ｂ）管理制御装置７０からの指示に基づく場合
例えば、上記通常の場合とは別に、管理者などの要求により管理制御装置７０からの指示に基づく場合の伝送システムＳＹＳの品質監視動作について、図５に示すフローチャートを参照しつつ説明する。なお、管理制御装置７０は、各伝送装置４０が受信するＷＤＭ光信号には、どのチャンネルの光信号が波長多重されているかを示す経路情報（チャンネル情報）を予め保持しているものとする。
【００３４】
ステップＳ２０１：管理制御装置７０は、例えば、管理者から伝送装置４０−ｋにおける品質監視指示を受け付けた場合、伝送装置４０−ｋの制御部４４に対し品質監視指示とともに経路情報を送信する。
【００３５】
ステップＳ２０２：制御部４４は、受信した品質監視指示および経路情報に基づいて、例えば、経路情報の最初のチャンネルの光信号を監視対象とし、局発光源４５に対してその光信号が受信部４２で受信されるようにレーザ光の波長を設定する。
【００３６】
ステップＳ２０３：制御部４４は、ステップＳ２０２において局発光源４５に設定した波長のレーザ光を射出させ、ステップＳ１０２と同様に、予め設定された所定時間Ｔの間、受信部４２に監視対象の光信号を受信させデータに復調させる。ＢＥＲ測定部４３は、その所定時間Ｔに受信部４２が受信し復調したデータに基づいて符号誤り率を測定する。ＢＥＲ測定部４３は、測定した符号誤り率を制御部４４に通知する。制御部４４は、通知された符号誤り率を、監視対象の光信号のチャンネルと対応付けてメモリ（不図示）に記録する。
【００３７】
ステップＳ２０４：制御部４４は、経路情報に挙げられた全てのチャンネルの光信号について符号誤り率を測定したか否かを判定する。制御部４４は、全てのチャンネルの光信号について測定した場合（ＹＥＳ側）、品質監視結果を管理制御装置７０へ通知し、一連の品質監視処理を終了する。一方、制御部４４は、まだ測定していないチャンネルの光信号がある場合、ステップＳ２０２（ＮＯ側）へ移行し、ステップＳ２０２およびステップＳ２０３の処理を行う。
【００３８】
このように、本実施形態では、ファイバブラッググレーティングや光フィルタなどの代わりに局発光源４５を用いデジタルコヒーレント受信することにより、コストを抑えつつ伝送路を伝送するＷＤＭ光信号のうち所望の波長の光信号を容易に且つ確度高く取り出して品質を監視することができる。
【００３９】
また、制御部４４が、予め設定された所定時間Ｔだけ、受信部４２に監視対象の光信号を受信させてデータに復調させ、ＢＥＲ測定部４３にそのデータにおける誤り数に基づいて符号誤り率を測定させることにより、より高速に所望の波長の光信号の品質を監視することができる。
《一の実施形態の変形例》
本発明の一の実施形態の変形例に係る伝送システムは、図１に示す一の実施形態の伝送システムＳＹＳと同じ構成を有する。したがって、本実施形態の伝送システムＳＹＳの各構成要素についての詳細な説明は省略する。
【００４０】
また、本実施形態の伝送システムＳＹＳの品質監視動作は、図４および図５に示す一の実施形態の場合と同じであり、詳細な説明は省略する。
【００４１】
ただし、本実施形態の伝送システムＳＹＳと一の実施形態に係るものとの相違点は、受信部４２およびＢＥＲ測定部４３の構成が異なる点にある。
【００４２】
本実施形態の受信部４２は、図６（ａ）、（ｂ）に示すように、受信波長選択部８０から出力される干渉光、すなわち監視対象の光信号の光レベルを検出するレベル検出部８４を備え、制御部４４に直接出力する。
【００４３】
また、本実施形態のＢＥＲ測定部４３は、図７に示すような受信部４２の特性の１つである、受信部４２における符号誤り率と光信号対雑音比（ＯＳＮＲ）との関係を示す特性情報を予め有し、監視対象の光信号の符号誤り率とともに、対応するＯＳＮＲの値を制御部４４に通知する。
【００４４】
このように、本実施形態では、ファイバブラッググレーティングや光フィルタなどの代わりに局発光源４５を用いデジタルコヒーレント受信することにより、コストを抑えつつ伝送路を伝送するＷＤＭ光信号のうち所望の波長の光信号を容易に且つ確度高く取り出して品質を監視することができる。
【００４５】
また、制御部４４が、予め設定された所定時間Ｔだけ、受信部４２に監視対象の光信号を受信させてデータに復調させ、ＢＥＲ測定部４３にそのデータにおける誤り数に基づいて符号誤り率を測定させることにより、より高速に所望の波長の光信号の品質を監視することができる。
【００４６】
また、制御部４４は、符号誤り率とともに光レベルおよびＯＳＮＲの値を取得し管理制御装置７０に通知することにより、伝送システムＳＹＳの品質監視をよりきめ細かく行うことができ、より迅速に障害に対応することができる。
《他の実施形態》
本発明の他の実施形態に係る伝送システムは、図１に示す一の実施形態の伝送システムＳＹＳと同じ構成を有する。したがって、本実施形態の伝送システムＳＹＳの各構成要素についての詳細な説明は省略する。
【００４７】
また、本実施形態の伝送システムＳＹＳの品質監視動作は、図４および図５に示す一の実施形態の場合と同じであり、詳細な説明は省略する。
【００４８】
ただし、本実施形態の伝送システムＳＹＳと一の実施形態に係るものとの相違点は、伝送装置４０−ｋが、図８に示すように、２つの局発光源４５ａ、４５ｂおよびそれらを切り替える光スイッチ４７を備える点にある。なお、本実施形態の局発光源４５ａ、４５ｂは、一の実施形態の局発光源４５と同じである。
【００４９】
本実施形態の伝送装置４０−ｋが２つの局発光源４５ａ、４５ｂを備える理由は、局発光源は、レーザ光の波長を一の波長から他の波長に変更した場合、変更後直ちに他の波長のレーザ光を安定して射出することができないためである。すなわち、局発光源が安定して他の波長のレーザ光を射出できるようになるまでには一定の時間がかかる。このことは、一の実施形態のように１つの局発光源４５で品質監視を行う場合、一のチャンネルの光信号の符号誤り率の測定後、次のチャンネルの光信号の測定を開始するまでに空白時間が生じ、迅速な品質監視ができないことを意味する。
【００５０】
そこで、本実施形態の伝送システムＳＹＳでは、図４に示すステップＳ１０１や図５に示すステップＳ２０２において、例えば、制御部４４は、最初の監視対象の光信号を受信部４２で受信させるために、局発光源４５ａに対してレーザ光の波長を設定し、光スイッチ４７を切り替え制御して局発光源４５ａのレーザ光を受信部４２に射出させる。同時に、制御部４４は、次の監視対象の光信号が受信部４２で受信できるように、局発光源４５ｂに対してレーザ光の波長を予め設定する。そして、制御部４４は、最初の監視対象の光信号の品質測定後、光スイッチ４７を切り替え制御して局発光源４５ｂのレーザ光を受信部４２に射出させる。これにより、空白時間を解消することができる。
【００５１】
このように、本実施形態では、ファイバブラッググレーティングや光フィルタなどの代わりに局発光源４５ａ、４５ｂを用いデジタルコヒーレント受信することにより、コストを抑えつつ伝送路を伝送するＷＤＭ光信号のうち所望の波長の光信号を容易に且つ確度高く取り出して品質を監視することができる。
【００５２】
また、制御部４４が、予め設定された所定時間Ｔだけ、受信部４２に監視対象の光信号を受信させてデータに復調させ、ＢＥＲ測定部４３にそのデータにおける誤り数に基づいて符号誤り率を測定させることにより、より高速に所望の波長の光信号の品質を監視することができる。
【００５３】
また、２つの局発光源４５ａ、４５ｂを切り替えて用いることにより、伝送システムＳＹＳの品質監視動作をより迅速に行うことができる。
《実施形態の補足事項》
（１）上記実施形態では、伝送装置４０−１〜４０−Ｎに品質監視装置が配置されたが、本発明はこれに限定されず、波長分割多重装置１０、２０にも品質監視装置が配置されてもよい。
【００５４】
（２）上記実施形態では、伝送システムＳＹＳは図１に示すようなネットワーク構成を示したが、本発明これに限定されず、リング型やメッシュ型のネットワークなどに対しても適用可能である。
【００５５】
（３）上記実施形態では、図５に示す品質監視動作は、管理制御装置７０からの指示を受け付けた場合としたが、本発明はこれに限定されず、伝送装置４０の設置時や復旧時などに対しても適用可能である。
【００５６】
（４）上記実施形態では、管理制御装置７０からの指示に基づく場合に、管理制御装置７０は、伝送装置４０−ｋに経路情報を通知したが、本発明はこれに限定されない。例えば、管理制御装置７０が予め経路情報を伝送装置４０−ｋに送信し、伝送装置４０−ｋの制御部４４は、経路情報に基づいて図４に示す品質監視動作を行ってもよい。
【００５７】
また、管理制御装置７０は、経路情報の代わりに、管理者が監視したいチャンネルの光信号からなる信号情報を伝送装置４０−ｋに送信してもよい。これにより、管理制御装置７０は、いつでも任意のチャンネルの光信号の品質を監視することができる。
【００５８】
（５）上記実施形態では、制御部４４は、測定結果を管理制御装置７０に通知しただけであったが、本発明はこれに限定されない。例えば、管理制御装置７０は、測定結果に基づいて、波長分割多重装置１０のＷＤＭ部１１において波長多重される各チャンネルの光信号の信号強度を制御してもよいし、伝送装置４０−１〜４０−Ｎにおける増幅器(不図示)の増幅率を制御してもよい。
【００５９】
（６）上記他の実施形態では、伝送装置４０−ｋは２つの局発光源４５ａ、４５ｂを配置したが、本発明はこれに限定されず、３つ以上の局発光源が配置されてもよい。
【００６０】
以上の詳細な説明により、実施形態の特徴点および利点は明らかになるであろう。これは、特許請求の範囲が、その精神および権利範囲を逸脱しない範囲で前述のような実施形態の特徴点および利点にまで及ぶことを意図する。また、当該技術分野において通常の知識を有する者であれば、あらゆる改良および変更に容易に想到できるはずであり、発明性を有する実施形態の範囲を前述したものに限定する意図はなく、実施形態に開示された範囲に含まれる適当な改良物および均等物によることも可能である。
【符号の説明】
【００６１】
１０、２０…波長分割多重装置、１１、２１…ＷＤＭ部、３０−１〜３０−（Ｎ＋１）…光ファイバ、４０−１〜４０−Ｎ…伝送装置、５０−１〜５０−Ｎ、６０−１〜６０−Ｎ…端末装置、７０…管理制御装置、ＳＹＳ…伝送システム
【図１】
0005830415.tif 000002
【図２】
0005830415.tif 000003
【図３】
0005830415.tif 000004
【図４】
0005830415.tif 000005
【図５】
0005830415.tif 000006
【図６】
0005830415.tif 000007
【図７】
0005830415.tif 000008
【図８】
0005830415.tif 000009